(57)【要約】【課題】  ＣＩＳの耐ノイズ性向上、放射ノイズの低減、コストダウン。【解決手段】  発振回路、ＣＩＳ駆動信号発生回路を内部に持ち、外部から入力される主走査同期信号をサンプリングし、内部動作信号（ＳＰ、ＣＩＳ＿ＣＬＫ信号）を出力するＣＩＳ。【選択図】        図１
2005191845.tif 000002
【特許請求の範囲】
【請求項１】
光源からの光を原稿に照射し、その反射光を光電変換素子で受光し、前記素子に蓄積された信号を、増幅し、時系列的に画像信号を出力する光電変換装置において、発振回路手段、主走査同期信号から前記光電変換装置を駆動する信号を生成する駆動信号生成手段を持ち、該駆動信号を前記発振回路手段からの出力を用い生成、該光電変換装置を駆動することを特徴とする光電変換装置。
【請求項２】
請求項１において、前記発振回路手段、前記駆動信号生成手段を、主走査同期信号より低電圧にて動作させることを特徴とした光電変換装置。
【請求項３】
請求項１または２において、前記主走査同期信号の出力間隔が、既定値範囲外であれば、前記発振回路の発振を停止することを特徴とした光電変換装置。
【請求項４】
請求項１または２において、前記主走査同期信号の出力間隔が、既定値範囲外であれば、前記駆動信号発生回路の出力を停止することを特徴とした光電変換装置。
【請求項５】
請求項１または２において、前記主走査同期信号の出力間隔が、既定値範囲外であれば、前記発振回路の出力を低周波に変化させることを特徴とした光電変換装置。
【請求項６】
請求項１または２において、前記主走査同期信号の出力間隔が、既定値範囲外であれば、前記駆動信号発生回路の出力を低周波に変化させることを特徴とした光電変換装置。
【発明の詳細な説明】
【技術分野】
【０００１】
本発明は光電変換装置に関し、例えば、ファクシミリ、イメージスキャナ、ディジタル複写機等の画像読み取りを行う光電変換装置に関するものである。
【背景技術】
【０００２】
従来、ファクシミリ、イメージスキャナ、ディジタル複写機において、等倍系の密着型イメージセンサ（ＣＩＳ：Ｃｏｎｔａｃｔ  Ｉｍａｇｅ  Ｓｅｎｓｅｒ）、またはＣＣＤ（Ｃｈａｒｇｅ  Ｃｏｕｐｌｅｄ  Ｄｅｖｉｃｅ）による読取りセンサが使用されてきた（例えば、特許文献１，２，３参照）。
【０００３】
光電変換装置（ＣＩＳ）は、特許文献１における図１のように、同図内９にて示される光電変換素子で蓄積された電荷を、同図３；光信号共通出力線に出力し、同図１９；プリアンプにて増幅、同図２１；差動増幅器により、ノイズ除去し、ビデオ信号として同図２４；アンプにて出力される。
【０００４】
また、特許文献２における図３に示される様に、同図１４；受光部からの電荷を同図１３；アナログシフトレジスタに転送し、同図１５；バッファからビデオ信号として出力している。さらに同発明内、図１２においても、同図１６；制御回路はあるものの上記図３と同様に、ビデオ出力されている。
【０００５】
あるいは、特許文献３における図１、２に示されるように、同図Ｓ××；受光素子からの電荷を、同図４；受光電圧発生回路から同図５；マルチプレクサを通し、ビデオ信号として出力している。
【０００６】
さらに、図５にて、従来、ＳＰ、ＣＬＫ、ＬＥＤ駆動信号により駆動する光電変換装置（ＣＩＳセンサ）に関し述べる。５０１は光源、これはＬＥＤ駆動信号により駆動される。５０１；光源からの光は、原稿に反射し、５０２；光電変換素子アレイに入力、光電変換され電荷として蓄積される。ＳＰ、ＣＬＫ信号により駆動する５０３；シフトレジスタにより、５０４；スイッチアレイを駆動し、５０２；光電素子アレイに蓄積された電荷を順次５０５；出力バッファに転送する。該出力バッファにて、画素信号は、増幅、ノイズ除去されＶＯＵＴ（ビデオ信号）として出力される。
【特許文献１】特開平１０−１９１１７３号公報
【特許文献２】特開平５−３００３０９号公報
【特許文献３】特開平９−２１９８２３号公報
【発明の開示】
【発明が解決しようとする課題】
【０００７】
しかしながら、光電変換装置の微細化が進み、該装置の耐ノイズ性が脆弱になりつつある。また、ファクシミリ、スキャナ、複写機等のように、光電変換装置駆動信号出力回路と光電変換装置間にケーブルが介在し、前記両者間距離が長い構成の場合、外部からの誘導や、ノイズにより、イメージセンサの誤動作が発生しやすい状況になっていた。また、該光電変換装置へ、前記ケーブルを通し駆動クロックを供給することにより、該ケーブルがアンテナとなり、ノイズを放射していた。
【０００８】
一方、前記従来例においては、光電変換素子に蓄積された電荷をノイズ除去、増幅し、駆動信号と同期してビデオ信号を出力することを目的としたものであり、放射ノイズ、誘導による影響を抑えるための提案ではなかった。
【０００９】
本発明は上記課題に鑑みてなされたもので、光電変換装置の耐ノイズ性を向上させ、放射ノイズ等を抑制することを目的とする。
【課題を解決するための手段】
【００１０】
本発明は上記の問題を解決するための手段として、センサ内に発振回路手段と、この出力からセンサ駆動のための信号を発生する駆動信号発生回路手段を具備し、外部から入力される主走査同期信号を前記発振回路からの出力を用い、センサ内部で使用する主走査同期信号を再合成、さらに、駆動クロック信号等を生成することを特徴とする。
【００１１】
以上、本発明を整理して要約すれば以下の構成に集約できる。
【００１２】
（１）光源からの光を原稿に照射し、その反射光を光電変換素子で受光し、前記素子に蓄積された信号を、増幅し、時系列的に画像信号を出力する光電変換装置において、発振回路手段、主走査同期信号から前記光電変換装置を駆動する信号を生成する駆動信号生成手段を持ち、該駆動信号を前記発振回路手段からの出力を用い生成、該光電変換装置を駆動することを特徴とする光電変換装置。
【００１３】
（２）前記（１）において、前記発振回路手段、前記駆動信号生成手段を、主走査同期信号より低電圧にて動作させることを特徴とした光電変換装置。
【００１４】
（３）前記（１）または（２）において、前記主走査同期信号の出力間隔が、既定値範囲外であれば、前記発振回路の発振を停止することを特徴とした光電変換装置。
【００１５】
（４）前記（１）または（２）において、前記主走査同期信号の出力間隔が、既定値範囲外であれば、前記駆動信号発生回路の出力を停止することを特徴とした光電変換装置。
【００１６】
（５）前記（１）または（２）において、前記主走査同期信号の出力間隔が、既定値範囲外であれば、前記発振回路の出力を低周波に変化させることを特徴とした光電変換装置。
【００１７】
（６）前記（１）または（２）において、前記主走査同期信号の出力間隔が、既定値範囲外であれば、前記駆動信号発生回路の出力を低周波に変化させることを特徴とした光電変換装置。
【発明の効果】
【００１８】
以上説明したように、記載の光電変換装置を用いることにより、外部からの駆動信号入力を主走査同期信号のみで構成することができる。これにより、光電変換装置駆動回路と光電変換装置間に介在するケーブル等に駆動信号（クロック）のノイズが重畳することがなくなり、前記ケーブルからの放射ノイズを抑えることが出来る。また、光電変換装置の駆動信号を同装置上で出力しているため、外部からケーブル等を通しての誘導等の影響を受けずらくなる。さらに、光電変換駆動回路から前記光電変換装置への出力信号の減少により、ケーブル本数、コネクタピン数も減り、コストダウンも実現できる。
【発明を実施するための最良の形態】
【００１９】
以下、本発明の実施例の光電変換装置（ＣＩＳセンサ）を、図面を参照し、説明する。
【実施例】
【００２０】
図１は、本発明の実施例による光電変換装置（ＣＩＳ）構成図である。
【００２１】
図２は、本発明の実施例による光電変換装置（ＣＩＳ）による主走査同期信号のサンプリングと、内部用主走査同期信号、クロック出力の一例を示す。
【００２２】
図３は、図１；の駆動信号発生回路の一例である。
【００２３】
図４は、本発明の実施例による光電変換装置（ＣＩＳ）の出力の一例である。
【００２４】
図１において、実施例のＣＩＳは主走査同期信号としてＳＰ信号、そしてＬＥＤ駆動信号により動作する。前記ＳＰ信号は図２に示す信号であり、一主走査毎に、１パルス出力される。また、前記ＬＥＤ駆動信号は、１０１；光源のＬＥＤを点灯させ、光源の光は原稿に反射し、これを受光した１０２；光電変換素子アレイに電荷が蓄積される。
【００２５】
前記ＳＰ信号は、図１、１０４；駆動信号発生回路に入力され、該回路の一例として示した図３において、３０１；フリップフロップに入力される。該フリップフロップは、図１、１０３；発振回路の出力であるＣＬＫ信号により、図中ＣＩＳ＿ＳＰ信号を生成する。
【００２６】
また、前記ＣＩＳ＿ＳＰ信号は、図１、１０５；シフトレジスタへ出力され、同回路を駆動する。さらに、該ＣＩＳ＿ＳＰ信号は、図３、３０２；ゲート回路、３０３；フリップフロップを通し、３０５；カウンタのＲＥＳＥＴに接続、また、３０４；フリップフロップを通して、該カウンタのＬＯＡＤに接続される。これにより、前記ＳＰ信号入力後は、前記ＲＥＳＥＴ信号、ＬＯＡＤ信号が出力される。また、該カウンタに入力されるクロックは前記図１、１０３；発振回路の出力であるＣＬＫ信号である。これら信号により、前記ＳＰ信号入力後、該カウンタはＲＥＳＥＴ後、Ｄ端子に設定してある値をＬＯＡＤし、動作を開始する。そして、該カウンタのＱＣ出力から、３０６；ゲートを通し、図２、ＣＩＳ＿ＣＬＫに示す信号を出力する。該ＣＩＳ＿ＣＬＫ信号は、図１、１０５；シフトレジスタに出力され、ＣＩＳを駆動する。
【００２７】
以上のＳＰ信号、ＣＬＫ信号、ＣＩＳ＿ＣＬＫ信号、ＣＩＳ＿ＣＬＫ信号、ＲＥＳＥＴ信号、ＬＯＡＤ信号の様子を、図２に示す。図に示すように、外部入力のＳＰ信号の立ち上がりで、前記ＣＩＳ＿ＳＰ信号は“Ｈ”に変化する。同時に、前記ＲＥＳＥＴ信号も“Ｌ”に変化し、前記３０５；カウンタのＱＣ出力のインバートにより出力されるＣＩＳ＿ＣＬＫ信号も“Ｈ”に変化する。次に、前記ＲＥＳＥＴ信号から生成されるＬＯＡＤ信号が出力され、図３、３０５；カウンタは、Ｄ端子に設定されているデータをプリセットし、カウントを開始する。このカウント値により、ＣＩＳ＿ＣＬＫは図のように出力される。なお、本実施例では、ＣＬＫ信号の１／８分周で、前記ＣＩＳ＿ＣＬＫ信号は出力される。次に前記ＳＰ信号が立ち下がることにより、前記ＣＩＳ＿ＳＰ信号は“Ｌ”に変化する。
【００２８】
前記１０４；駆動信号発生回路により出力されたＣＩＳ＿ＳＰ信号、ＣＩＳ＿ＣＬＫ信号により、１０５；シフトレジスタは駆動され、図１、１０２；光電変換素子アレイに蓄積された電荷を、１０６；スイッチアレイを通し、１０７；出力バッファへ出力させる。該バッファにおいて、前記電荷は、増幅、ノイズ除去され、外部に画素信号；ＶＯＵＴとして出力される。
【００２９】
次に、図４にて、本実施例による、ＶＯＵＴ信号と他信号との関係を示す。図中ＳＰ信号入力により、ＣＩＳ＿ＳＰ信号、ＣＩＳ＿ＣＬＫ信号を生成する。ＶＯＵＴ信号はＣＩＳ＿ＣＬＫに同期して出力され、ＳＰ信号入力後、無効画素を出力、次に有効画素の信号を出力、その後ダミー画素を出力し、１主走査内のＶＯＵＴ信号（画素信号）出力を終了する。
【００３０】
さらに、上記実施例において、１０３；発振回路、１０４駆動信号発生回路を、外部からの入力信号ＳＰよりも低電圧とし、構成してもよい。
【００３１】
また、光電変換装置として密着型センサの例をあげたが、縮小光学系を用いるＣＣＤ（Ｃｈａｒｇｅ  Ｃｏｕｐｌｅｄ  Ｄｅｖｉｃｅ）においても同様の効果がある。
【００３２】
一方、他の機器（リーダ、複写機等）における読み取り部においても、同様の手段により、効果が得られる。
【図面の簡単な説明】
【００３３】
【図１】本発明の一実施例による光電変換装置（ＣＩＳ）構成図
【図２】本発明の一実施例による光電変換装置（ＣＩＳ）信号出力図
【図３】本発明の一実施例内部；駆動信号発生回路の構成図
【図４】本発明の一実施例による光電変換装置（ＣＩＳ）の出力を示す図
【図５】従来例光電変換装置の構成図
【符号の説明】
【００３４】
１０１  光源
１０２  光電変換素子アレイ
１０３  発振回路
１０４  駆動信号発生回路
１０５  シフトレジスタ
１０６  スイッチアレイ
１０７  出力バッファ
３０１、３０３、３０４  フリップフロップ
３０２  ゲート回路
３０５  カウンタ
３０６  ゲート
５０１  光源
５０２  光電変換素子アレイ
５０３  シフトレジスタ
５０４  スイッチアレイ
５０５  出力バッファ
【図１】
2005191845.tif 000003
【図２】
2005191845.tif 000004
【図３】
2005191845.tif 000005
【図４】
2005191845.tif 000006
【図５】
2005191845.tif 000007